(57)【要約】【課題】狭い空間に配設可能であって安定した通気性能を確実に発揮できる通気弁であり、負圧の発生時に弁体作動時のチャタリングを防いで騒音の発生を防ぎつつ、弁体閉止時には高いシール性を発揮して機能性の高い通気弁を提供すること。【解決手段】通常は閉止状態を保持し、内部が負圧になったときに弁体２０がボデー１１内を移動して通気可能とした通気弁において、弁体２０が移動して開閉する弁の低開度領域Ｒに制動機構１５を設け、この制動機構１５により、弁軸２２を調芯しつつ制動を与えることにより、弁体２０のチャタリングを防止し、かつ、均一な弁座シールを可能とした通気弁である。【選択図】          図１
2008256114.tif 000002
【特許請求の範囲】
【請求項１】
通常は閉止状態を保持し、内部が負圧になったときに弁体がボデー内を移動して通気可能とした通気弁において、前記弁体が移動して開閉する弁の低開度領域に制動機構を設け、この制動機構により、弁軸を調芯しつつ制動を与えることにより、前記弁体のチャタリングを防止し、かつ、均一な弁座シールを可能としたことを特徴とする通気弁。
【請求項２】
前記弁軸を調芯しつつ制動を与える制動機構を前記弁体とボデーの接触部位に設け、前記制動機構により、前記弁体の可動方向に対して周方向に摩擦力を持たせた請求項１記載の通気弁。
【請求項３】
前記ボデーの上端にこのボデー内を密閉可能な密閉部材を接合し、この密閉部材に前記弁体をスプリングを介して付勢して当接させ、通常は、前記弁体が弁本体の上端より突出することなく閉止状態を保持し、弁本体内が負圧になったとき、前記弁体が前記ボデーの内方側へ開放駆動するようにした請求項２に記載の通気弁。
【請求項４】
前記弁体を保持する弁体保持体の装着側先端に割り溝を形成し、この割り溝を介して先端方向に広がる接触部を設け、この接触部を前記ボデーに設けた接触面に接触させた請求項３に記載の通気弁。
【請求項５】
前記密閉部材の外周側に前記ボデーの外周側を覆う筒状の外筒を取付け、この外筒の内周側とボデー外周側の間を流体の接液領域とし、前記制動機構をボデー内周側の非接液領域に配設した請求項３又は４に記載の通気弁。
【請求項６】
前記ボデーの上端に略中央に案内軸を有するキャップを取付け、前記案内軸に前記弁体を昇降動自在に設けてこの弁体を弁室内に設けた環状弁座に開閉自在に着座させ、この弁体は、通常は自重により弁座に着座し、かつ負圧に応答して大気圧によって開くようにした請求項２に記載の通気弁。
【請求項７】
前記案内軸の先端に割り溝を設け、この割り溝を介して先端方向に広がる接触部を設け、この接触部を前記弁体に設けた接触面に接触させた請求項６に記載の通気弁。
【発明の詳細な説明】
【技術分野】
【０００１】
本発明は、排水流路に接続して排水管内に発生した負圧を軽減させる通気弁に関する。
【背景技術】
【０００２】
建造物の排水設備において、洗面、台所等の排水器具から排水が流れる際には、排水管内には負圧が生じている。通気弁は、弁開状態において通気管内に空気を取り込むことにより、この負圧を軽減して排水設備に設けられた各種排水器具による排水動作を正常に行い得るようにしたものである。このうち、例えば、内部に環状弁座と、この弁座に着座可能な弁体を有し、弁内が負圧になったときに弁体が弁の外方側に持ち上がって流路を開放できるようにした構造の通気弁がある。この通気弁は、それまでの伸頂通気管の先端に通気弁を設ける場合に比較してコンパクト化が可能になっており、床下などの狭いパイプスペースに設置して排水設備の配管全体の通気性を確保でき、逆流による漏水も防ぐことが可能になっている。
【０００３】
更に、同種の通気弁として、閉止時には弁体をスプリングで弾発保持し、負圧発生時にはこの弁体をスプリングの弾発力に抗して弁本体の内方側に移動させることで通気路を開放させるようにした通気弁もある。このタイプの通気弁は、負圧になったときに弁体が持ち上がるタイプの通気弁に比較してよりコンパクト化を図ることができ、更に狭いスペースに配設できるなど、応用性に富んだ使用が可能になっている。
【０００４】
この種の通気弁は、一般的に、排水管内に５０Ｐａ前後の微小負圧が発生したときに弁体が作動する必要がある。このときの弁体が作動するときの最低負圧を決定する要素は、上記通気弁においては受圧面に対する弁体の自重、又は、弁体を閉方向に移動させるスプリングの付勢力であるが、微小負圧によって作動させるために弁体の作動負圧を低く抑えるには、この自重や付勢力を小さく設定する必要がある。特に、スプリングを用いた通気弁の場合、弁体の開動作をスプリングの弾発力に抗して行うようにし、弁体の作動特性は、このスプリングのばね定数によって決めているため、低い負圧によって通気抵抗を少なく作動させるために細かいばね定数の設定が必要になり、このため、このばね定数の調整が難しくなっている。
一方で、弁体の自重や付勢力は、同時に弁体のシール力にも影響を及ぼしており、これらの大きさに比例して弁体のシール力は大きくなる。これにより、自重や付勢力が小さすぎるとシール力が不足し、排水管から臭気が漏れることに繋がるという相反する問題も考慮しなければならない。
【０００５】
上記のように、通気弁は、排水管内の微小負圧の発生によって弁体を動作させているため、この負圧よりも小さい圧力（例えば、５０Ｐａよりも小さい負圧）の発生でも弁体が動作することがある。この場合、弁体の動作が不安定になって頻繁に開閉動作を繰り返す、いわゆる、チャタリング現象が起こることがある。このチャタリング現象は、弁体を作動させるときの最も小さい微圧の変動が生じたときに、弁体の低開度領域においてより激しくなる。チャタリングが起こると、弁体が激しく振動してこの弁体の弁座への接離が繰り返し行われ、大きな騒音を発生するという問題がある。
【０００６】
チャタリングを防ぐようにしたバルブとして、例えば、特許文献１に開示された逆止弁がある。この逆止弁は、弁体と弁本体（弁座）との間に形成される流路をテーパ状に絞ることにより、弁の低開度領域において上昇する流体圧を利用して、自重により着座しようとする弁体に制動を与えてチャタリングを防止しようとした逆止弁である。
【０００７】
また、特許文献２の吸気弁は、弁体に重りを装着したものであり、これにより、弁軸支持部における摩擦抵抗を上げ、バネにて弁座方向に付勢された弁体に制動を与えてチャタリングを防止しようとしたものである。具体的には、通気弁の空気取込み時に弁体に振動が発生すると、重りによって重量的にアンバランスとなっている弁体に回転力が作用し、この回転力によりガイドポストと弁体ガイド筒部とが摺動することで弁体の振動を減衰させるようにしている。
【０００８】
【特許文献１】実開平５９−１８９９６６号公報
【特許文献２】特許第２７０２３８９号公報
【発明の開示】
【発明が解決しようとする課題】
【０００９】
しかしながら、特許文献１の逆止弁は、弁本体内部を正圧の流体が流れるときに、この流体により生じるチャタリングを、流体が流れるときの流体圧を利用して防ごうとしたものである。このため、この逆止弁を上記通気弁のような、通常時は閉止状態であって排水管内への微小負圧の発生によって弁体が作動する態様の通気弁に対して、チャタリングの問題を解決するために適用することはできない。
【００１０】
一方、特許文献２の吸気弁のように、弁体に重りを設けて重量的にアンバランスにすると、弁体閉止時に環状シール面に対して均一にシール力が発揮できなくなるという問題がある。また、この偏った重量の弁体によって最低限のシール力を確保するためには、バネによる付勢力を増加させなければならず、その結果、弁体が作動する最低負圧が高くなり、通気弁に要求される極小さい微小負圧の発生時に通気量を確保するのも難しくなる。
また、重りを設けることで弁体の軸方向に偏った負荷が生じ、これにより、摺動部分の偏磨耗が進行して作動時の安定性や耐久性を損なう可能性がある。
更に、この吸気弁は、弁体摺動時の摺動抵抗を上げることによりチャタリングを防ごうとしているが、この弁体の摺動部位は、弁作動時の作動範囲の全域に及んでいるため、この大きく連続した摺動抵抗によって弁を全開状態にするまでに時間がかかり、負圧発生時の通気量の確保が不十分になって、通気弁としての機能が大きく損なわれるおそれがあった。
【００１１】
本発明は、上記の課題点に鑑み、鋭意研究の結果開発に至ったものであり、その目的とするところは、狭い空間に配設可能であって安定した通気性能を確実に発揮できる通気弁であり、負圧の発生時に弁体作動時のチャタリングを防いで騒音の発生を防ぎつつ、弁体閉止時には高いシール性を発揮して機能性の高い通気弁を提供することにある。
【課題を解決するための手段】
【００１２】
上記の目的を達成するため、請求項１に係る発明は、通常は閉止状態を保持し、内部が負圧になったときに弁体がボデー内を移動して通気可能とした通気弁において、弁体が移動して開閉する弁の低開度領域に制動機構を設け、この制動機構により、弁軸を調芯しつつ制動を与えることにより、弁体のチャタリングを防止し、かつ、均一な弁座シールを可能とした通気弁である。
【００１３】
請求項２に係る発明は、弁軸を調芯しつつ制動を与える制動機構を弁体とボデーの接触部位に設け、制動機構により、弁体の可動方向に対して周方向に摩擦力を持たせた通気弁である。
【００１４】
請求項３に係る発明は、ボデーの上端にこのボデー内を密閉可能な密閉部材を接合し、この密閉部材に弁体をスプリングを介して付勢して当接させ、通常は、弁体が弁本体の上端より突出することなく閉止状態を保持し、弁本体内が負圧になったとき、弁体がボデーの内方側へ開放駆動するようにした通気弁である。
【００１５】
請求項４に係る発明は、弁体を保持する弁体保持体の装着側先端に割り溝を形成し、この割り溝を介して先端方向に広がる接触部を設け、この接触部をボデーに設けた接触面に接触させた通気弁である。
【００１６】
請求項５に係る発明は、密閉部材の外周側にボデーの外周側を覆う筒状の外筒を取付け、この外筒の内周側とボデー外周側の間を流体の接液領域とし、制動機構をボデー内周側の非接液領域に配設した通気弁である。
【００１７】
請求項６に係る発明は、ボデーの上端に略中央に案内軸を有するキャップを取付け、案内軸に弁体を昇降動自在に設けてこの弁体を弁室内に設けた環状弁座に開閉自在に着座させ、この弁体は、通常は自重により弁座に着座し、かつ負圧に応答して大気圧によって開くようにした通気弁である。
【００１８】
請求項７に係る発明は、案内軸の先端に割り溝を設け、この割り溝を介して先端方向に広がる接触部を設け、この接触部を弁体に設けた接触面に接触させた通気弁である。
【発明の効果】
【００１９】
請求項１に係る発明によると、床下などの狭い空間に配設可能であって、排水管内の微小負圧の発生に応じてスムーズに作動して安定した通気性能を確実に発揮できる通気弁であり、弁体作動時のチャタリングを防いで騒音の発生を防止しつつ、かつ、通常の弁体閉止時には高いシール性を維持して臭気漏れなども防ぐことができる機能性の高い通気弁を提供することができる。
【００２０】
請求項２に係る発明によると、排水管内に通気する必要の無い極僅かな負圧が発生した場合には弁体が開動作するのを抑えることができ、これにより、弁体の低開度領域におけるチャタリング現象による騒音を確実に防止することができる通気弁である。
【００２１】
請求項３に係る発明によると、全体の高さを低く抑えてコンパクト化を図ることができ、狭い床下などにも配設して排水管内の通気を行うことができると共に、弁体を調芯しながら可動することができ、弁閉時には、この弁体が偏芯することなく弁座に均等に着座して安定したシール性を保持することができる通気弁である。
【００２２】
請求項４に係る発明によると、簡単な構造によって製作することができ、通気の必要の無い極僅かな負圧の発生時には弁体の開動作を防ぐと共に、通気時には弁体がスムーズに作動して必要な通気量を迅速に確保して優れた通気機能を発揮できる通気弁である。
【００２３】
請求項５に係る発明によると、ボデーの外周側に継手部を設けて二重筒構造とし、非接液領域によって制動機構が接液するのを防いで、接液に伴う制動機構の作動不良を防止できる通気弁である。
【００２４】
請求項６に係る発明によると、排水管内の微小負圧の発生に応じて確実に弁体を可動して高精度の通気作動を行うことができ、また、通気流量を確保して安定した弁体動作を行うことができる通気弁である。
【００２５】
請求項７に係る発明によると、部品点数が増えることなく簡単な構造により製作することができ、微小負圧の発生時には弁体の作動不良を防ぎ、通気時には、弁体がスムーズに作動して優れた通気性能を発揮できる通気弁である。
【発明を実施するための最良の形態】
【００２６】
以下に、本発明における通気弁の実施形態を図面に基づいて詳述する。
図１ないし図３に示すように、通気弁本体１０のボデー１１は、外形を略漏斗状に形成し、上下側に開口部位を形成している。ボデー１１の内側には、複数の板状のジスクガイド１１ａを放射状に突設形成しており、このジスクガイド１１ａにより、弁体２０の外周を囲むように収納保持してこの弁体２０の開閉動作を案内している。ジスクガイド１１ａは、ボデー１１の略中央付近まで延設され、弁体保持体１２と一体形成している。弁体保持体１２は、ボデー１１の中心位置に形成し、弁体２０を保持可能に設けている。
この弁体保持体１２は、中央に穿孔穴１３を有しており、この穿孔穴１３の一部を図６のように縮径して環状の接触面１４を設けている。穿孔穴１３には、弁体２０の略中央位置に形成した弁軸２２を遊嵌保持可能に設けており、弁体保持体１２に弁軸２２を調芯しながら弁体２０を上下に摺動可能に設けている。
【００２７】
図４、図５に示すように、弁体２０は、ジスクホルダ２１と前記弁軸２２を有し、弁軸２２をジスクホルダ２１の中心部位から垂下形成するように設けている。
弁軸２２は、ジスクホルダ１１ａ側に細径の小径部２２ａを有し、この小径部２２ａから先端側に向けてテーパ面２２ｂを介して拡径した大径部２２ｃを有している。平面部２２ｄは、テーパ面２２ｂから大径部２２ｃにかけて四方を弁軸２２と平行に切欠き形成したものであり、この平面部２２ｄを形成することで、大径部２２ｃの一部を残している。この一部の大径部２２ｃは、弁体保持体１２の穴径よりも僅かに大きく形成し、これを接触部２３とし、この接触部２３は、接触面１４に接触可能に設けている。割り溝２２ｅは、弁体２０の弁体保持体１２への装着側先端に設けており、この弁体２０の材質を、例えば、ＡＢＳ樹脂とすることで、弁軸２２の先端側が周方向に弾性力を有するようにしている。これにより、接触部２３を、この割り溝２２ｅを介して先端方向に広がるようにし、また、縮径方向に変形可能にしている。
【００２８】
本実施形態では、平面部２２ｄを、対面する四方向に設けているが、この平面部は、二方向に設けるようにしてもよい。この場合、接触部２３の接触面１４に対する接触面積を大きくできる。更には、この平行な平面部を六方向や八方向に設けることもでき、このように、平面部の数を変えて接触部の接触面積を調節でき、弁体２０が弁体保持体１２を摺動するときの摺動抵抗を変えることができる。
【００２９】
また、弁軸２２の外周側には円筒状の案内筒２２ｆを形成し、この案内筒２２ｆの内径は、弁体保持体１２の外径よりやや大きく形成している。また、弁体２０の後述の弁座２６への着座部分に、ゴム等の弾性材料で形成した環状のシール部材２３を装着している。  弁体２０は、弁軸２２を弁体保持体１２の穿孔穴１３に挿入し、かつ、案内筒２２ｆ内に弁体保持体１２を挿入させるようにジスクガイド１１ａの内側に装着する。
【００３０】
弁体２０は、スプリング２８を弁軸２２外周側の弁体保持体１２との間に装着しながらボデー１１に取付けることにより、密閉部材２５側に弾発付勢可能に設けている。これにより、通常は、弁体２０が弾発して、シール部材２３が密閉部材２５の弁座２６に着座して弁本体１０内部を密封し、この弁体２０が弁本体１０の上端より突出することなく閉止状態を保持できるように設けている。一方、弁本体１０内が負圧になったときには、弁体２０がボデー１１の内方側へ移動して通気可能としている。弁体２０の弁座２６へのシール時には、シール部材２３と弁座２６とのシール部位が略ドーナツ状の１ヵ所になっており、例えば、図示しないが、二重筒の外側の筒と内筒の間を空気の流路にして外側の筒と内筒にそれぞれシール部材を当接させて密閉シールさせた場合よりも、面接触シール性が高くなり、これにより、優れたシール性を発揮している。
【００３１】
弁本体１０は、弁体２０が移動して開閉する弁の低開度領域Ｒに制動機構１５を設け、この制動機構１５により、弁軸２２を調芯しつつ制動を与えることにより、弁体２０のチャタリングを防止し、かつ、均一な弁座シールを可能としている。本実施形態においては、制動機構１５を弁体２０とボデー１１の接触部位に設け、この制動機構１５により、弁体２０の可動方向に対して周方向に摩擦力を持たせている。
制動機構１５は、接触部２３と接触面１４からなり、この接触部２３と接触面１４の接触時に弁体２０の制動力を発揮できるようにしている。
【００３２】
ボデー１１の上端開口側には、このボデー１１内を密閉可能な前記の密閉部材２５を接合している。密閉部材２５は、略環状に形成し、その中央部位に開口部２５ａを形成している。開口部２５ａの外周側にはボデー１１への取付け側にめねじ部２５ｂを形成し、このめねじ部２５ｂをボデー１１に形成したおねじ部１１ｂに螺着して一体化している。ボデー１１と密閉部材２５の接合後には、密閉部材２５の中央部に形成した開口部２５ａより、ボデー１１内が大気と連通可能に設けている。図示しないが、このボデー１１と密閉部材２５の接合は、螺合に限ることなく、凹凸嵌合や接着等の別の接合手段であってもよい。
密閉部材２５の開口部２５ａ内側の周縁部位には、弁座２６を設けており、この弁座２６に弁体２０のシール部材２３がシールできるようにしている。
【００３３】
密閉部材２５のボデー１１への取付けは、めねじ部２５ｂとおねじ部１１ｂを螺着して取付け、これにより、ボデー１１は、弁本体１０の上端側である密閉部材２５より内方側に配設される。また、ボデー１１は、螺着固定されることで、密閉部材２５に対して調芯されながら一体化され、密閉部材２５の開口部２５ａの軸心は、ボデー１１の軸心に合うようになっている。
【００３４】
ボデー１１は、その下方側に雄ねじ１１ｃを形成しており、この雄ねじ１１ｃにボデー１１と別体に形成した筒体３５の雌ねじ３５ａを螺着してこの筒体３５を固定可能に設けている。ボデー１１と筒体３５との接続は、螺合に限ることなく、凹凸嵌合であってもよい。筒体３５は、例えば、ゴム材料等の可撓性材料によって形成し、これにより、排水中の異物が接触した際にこの筒体３５が弾性変形し、また、復元できるようにしている。筒体３５の外周面側には、半径方向に複数の外周溝３５ｂを形成しており、異物がボデー１１に接触した場合、この外周溝３５ｂにより筒体３５の可撓性が向上し、異物を除去することができる。また、筒体３５は、可撓性を有する材料以外で形成することもでき、例えば、ボデー１１と一体に成形することもできる。
【００３５】
筒体３５は、所定の長さを有するように形成し、この筒体３５の内部には通気路３５ｃが形成される。この通気路３５ｃにより、筒体３５内部には、排水が上昇しようとしたときに弁本体内への逆流防止用の図示しない空気層が形成される。
【００３６】
密閉部材２５の外周側には、ボデー１１の外周側を覆う筒状の外筒３６を設けている。これにより、外筒３６内には、ボデー１１と筒体３５が配置されている。外筒３６内周側とボデー１１外周側の間は流体の接液領域Ｔとなり、前記した制動機構１５は、ボデー１１内周側の非接液領域Ｕに配設される。
【００３７】
蓋体３７は、円盤状に形成し、この蓋体３７の内周面側には外筒３６に形成したオネジ３６ａに螺着可能なメネジ３７ａを形成し、このメネジ３７ａを介して弁本体１０の密閉部材２５の上部に着脱自在に取付けている。蓋体３７の外側面には、複数個の開口窓３７ｂを均等に形成し、この開口窓３７ｂから求心方向に向けて蓋体３７の下面に案内フィン３７ｃを形成して横通気路３７ｄを構成している。また、蓋体３７の上部には、カバー部３７ｅを設け、このカバー部３７ｅにより、密閉部材２５の上方に向けて開口している開口部２５ａを覆うように遮音して排水音が床材等に伝わらないようにし、さらに、埃などのゴミ等の浸入も防いでいる。
【００３８】
蓋体３７は、外筒３６に取付ける際に、同時に密閉部材２５を固定できるようにしており、取付け時にはボデー１１の密閉部材２５の上方から取付け、密閉部材２５のボデー１１上端に載置された拡径部２５ｃをボデー１１との間に挟むようにメネジ３７ａをオネジ３６ａに螺着して固定する。このとき、密閉部材２５は、ボデー１１上方側の開口側の内側に嵌め込むように取付けられ、取付け後には、拡径部２５ｃが外筒３６の上端部に当接して所定の取付け状態に保持される。また、拡径部２５ｃの下側にはＯリング２７を装着しており、密閉部材２５の取付け後には、このＯリング２７によって、ボデー１１と密閉部材２５とを密封シールしている。
【００３９】
また、図８の他の実施形態に示すように、ボデー４０の上方側付近を円盤状に拡径し、鍔部４１を設けるようにしてもよい。この場合、鍔部４１の外周縁側を外筒４５の内周に形成した段部４６に係止し、更に、この上から密閉部材２５を載置した状態で、外筒４５にボデー４０と密閉部材２５を挟着した状態で蓋体３７により固定している。これにより、外筒３６に対してボデー４０が落下するのを防ぐことができる。また、外筒３６に対するボデー４０の軸心の触れを防ぎながら、ボデー４０を外筒４５に対して強固に固定することができる。なお、この実施形態以降において、上記実施形態と同一部分は同一符号によって表し、その説明を省略する。
【００４０】
また、蓋体３７は省略することもでき、この場合、密閉部材２５の拡径部２５ｃ付近からボデー１１の雄ねじ１１ｃに螺着できる図示しないメネジをあらたに形成することで、密閉部材２５が自然に外れるのを防ぐことが可能になる。蓋体３７を設けない場合には、弁本体１０をよりコンパクト化できる。
【００４１】
また、本実施形態においては、上記のようにボデー１１を密閉部材２５と別体に設け、これらを一体化しているが、ボデー１１と密閉部材２５は一体形成してもよい。また、ボデー１１は、外筒に対して上記と異なる位置に設けることもできる。
【００４２】
本実施形態における弁本体１０は、例えば、戸建住宅、或は集合住宅等の建造物内の図示しない排水設備に設けられる。この排水設備は、図示しない排水立て管と排水横枝管を有し、排水横枝管には、浴室、洗面器、台所流し、便器等の衛生機器等などの器具から排水が流れている。弁本体１０は、例えば、外筒３６の下部に形成される図示しないオネジなどの接続部によって排水立て管の上部に接続される。
【００４３】
次に、本発明における通気弁の上記実施形態における動作並びに作用を説明する。
弁本体１０を排水設備に取付け、この排水設備内を排水が流下して負圧が発生すると、それまで図１のように閉止状態を維持していた弁本体１０の弁体２０は、図２に示すように、スプリング２８の弾発付勢力に抗して下方に移動して開口部２５ａが開かれ、この開口部２５ａから排水設備内に大気が流入する。このように、負圧発生時には、負圧と大気圧との圧力差に応じて弁体２０が開放駆動して弁開状態になることで大気が排水設備内に取り込まれ、これにより排水設備内の圧力差が小さくなって負圧が軽減される。このとき、排水していない器具の図示しないトラップ封水が負圧によって減少することも防止される。続いて、図３は、通気弁本体の全開になった状態を示したものである。
【００４４】
次に、弁開動作によって排水設備内の圧力差が小さくなり、弁本体１０が弁閉動作するときには、スプリング２８の弾発力によって弁体２０が閉方向に摺動して、この弁体２０のシール部材２３が弁座２６に着座して弁閉する。着座の際、弁軸２２のテーパ面２２ｂが、弁体保持体１２の穿孔穴１３に設けられた接触面１４に摺動することにより、弁軸を調芯しつつ制動が与えられる。このようにして弁体が調芯され、均一な弁座シールが可能となる。弁体２０が着座すると、ボデー１１内が密閉状態に戻り、排水設備内の臭気が大気側（床下等）に逃げるのが防がれる。
【００４５】
排水設備内の詰まり等によって排水が逆流し、弁本体１０内に排水立て管から排水の水位が上昇した場合には、この排水によって通気路３５ｃの入口側である流入口３５ｄが塞がれて筒体３５またはボデー１１内の空気層が密閉状態となり、この空気層の密閉状態が保持されることによって逆流が防がれて、外部への排水の飛散や流出などの漏れが防止される。しかも、このとき弁本体１０には正圧が作用するため、弁閉状態を安定的に保持でき、空気層の密閉状態を維持して確実に逆流を防止する。
【００４６】
続いて、以上の弁動作における制動機構１５の動作を詳しく述べる。通常時には、弁体２０の接触部２３の外径は、ボデー１１の接触面１４の内径よりも大径に設けているため、図１において、この弁体２０を弁体保持体１２に保持させて、弁体２０が閉止状態になっているときには、弁軸２２が割り溝２２ｅによって弾性変形して縮径し、図６（ａ）、図７（ａ）に示すように、接触部２３が接触面１４に接触した状態となる。
【００４７】
図２のように、負圧が発生すると、接触部２３が接触面１４に接触しながら摺動し、このとき弾性変形によって割り溝２２ｅが閉じる方向（縮径方向）に接触部２３が変形し、接触部２３と接触面１４の間には適度の摺動抵抗が生じながら弁体２０が下方に移動する。
【００４８】
更に、弁体２０が移動すると、接触部２３が接触面１４を通過し、図６（ｂ）、図７（ｂ）に示すように、小径部２２ａが接触面１４内に到達する。この小径部２２ａの外径は、接触面１４の内径よりも小さいため、小径部２２ａと接触面１４との間には接触抵抗が働き難くなっている。
【００４９】
このように、弁本体１０は、弁体２０が移動して開閉する弁の低開度領域Ｒに制動機構１５を設け、この制動機構１５により、弁軸を調芯しつつ制動を与えることにより、弁体２０が開き始める時、または閉じる時に、弁軸２２に形成された大径部である接触部２３が穿孔穴１３内壁の接触面１４に接触し、弁軸２２の弾性変形によって割り溝２２ｅが閉じて適度な摺動抵抗を生じさせることによって、弁軸２２の接触面１４内での振動を防止し、チャタリング現象を抑制することが可能になる。これにより、不快な振動音やチャタリングによる作動音の発生を抑制することができる。特に、弁開度が大きくなると弁開状態への復元力が増すような構造は、チャタリング現象が生じやすくなっているが、上記の構造によりこの問題が解消される。
【００５０】
これにより、摺動抵抗を増加させるための重りを弁体２０に設ける必要がなく、弁体２０が重量的にアンバランスになるのを防いで、弁閉時には、弁体２０を弁座２６に対して均一に弁座シールさせてシール力を安定させ、作動負圧の設定を低い値にすることができる。しかも、低開度領域Ｒ以外では摺動抵抗が低いため、スプリング２８の弾発力を確保して弁体２０のシール力を高くできる。このため、スプリング２８の弾発力を大きくする必要もなく、弁体２０の作動力を増すことなく、極小さい微小負圧発生における通気量も確保できる。また、弁軸２２が傾くことなく適度な抵抗により摺動が案内されるため、偏磨耗による作動不具合を防止して弁体２０作動時の安定性や耐久性も確保できる。
【００５１】
また、接触部位は、弁の低開度領域Ｒに設けられているので、弁の開度が大きくなると弁体２０の摺動抵抗が小さくなり、速やかに弁全開状態にすることができ、負圧発生時の通気量を十分に確保して、通気弁としての機能性を確保することができる。
【００５２】
更には、通常時には、弁体２０が弁本体１０の上端より突出することなく閉止状態を保持し、弁本体１０が負圧になったときに弁体２０をボデー１１内方側へ開放駆動させるような構造であるため、弁本体１０の高さを最小限に抑えることができ、全体をコンパクト化できる。これにより、弁本体１０は、狭い床下空間の寸法に制約されることなく、所定の通水口径を維持しながら配設することができ、設置スペースを小さくして居住スペースなどを大きくできる。
【００５３】
更に、上記実施形態のように、密閉部材２５の上方に蓋体３７を配置した場合には、弁本体１０と蓋体３７の間に横通気路３７ｄが確保されることにより、弁本体１０を床の下面等に近接配置しても、負圧の解消に必要な十分な通気を行うことができる。
【００５４】
図９ないし図１１においては、本発明における通気弁の更に他の実施形態を示している。この実施形態では、ボデー５１の弁室５１ａを弁本体５０の円筒部５１ｂで区画形成し、この円筒部５１ｂと同心円状に内側の環状弁座５２と外側の環状弁座５３を形成している。弁本体５０は、ボデー５１の上端に、略中央下面に垂下形成した案内軸５６を有するキャップ５５を取付け、案内軸５６には弁体５７を昇降動自在に設けてこの弁体５７を弁室５１ａ内に設けた環状弁座５２、５３に開閉自在に着座させるようにしたものである。これにより、弁体５７は、通常は自重により弁座５２、５３に着座し、かつ負圧に応答して大気圧によって持ち上げられて流路が開くようにしている。
【００５５】
図１１のように、キャップ５５の案内軸５６は、断面略十字形に形成し、これに先端側から割り溝６０を設けて、周方向に弾性を有する４つの放射状の接触部５８を設けている。接触部５８は、案内軸５６の先端方向に開くようなテーパ状に設けており、弁閉時に弁体５７が位置する接触部５８の外径を接触面となる穴部５９の内径よりも大きくなるように形成している。これにより、弁閉時から低開度領域Ｒ´においては、図１１（ａ）のように、接触部５８が縮径しながら穴部５９に接触することで摺動抵抗が大きくなる。また、低開度領域Ｒ´以上の開度の領域では、図１１（ｂ）に示すように、接触部５８の外径が穴部５９の内径よりも小さくなるため、接触部５８が穴部５９に接触し難くなり、接触抵抗は小さくなる。
よって、前記の上記実施形態と同様に、弁体５７の低開度領域Ｒ´のみにおける摺動抵抗を大きくすることができ、この領域Ｒ´では、弁体５７が動作するための微小負圧以下の負圧によってみだりに動作することがない。従って、チャタリング等の不良動作を防ぎつつ、弁閉時におけるシール性を確保でき、前記実施形態と同様の効果を発揮できる。
【図面の簡単な説明】
【００５６】
【図１】本発明における通気弁の一実施形態を示した縦断面図である。
【図２】図１の通気弁が作動を開始した状態を示した縦断面図である。
【図３】図１の通気弁の全開状態を示した縦断面図である。
【図４】ジスクホルダの斜視図である。
【図５】ジスクホルダの底面図である。
【図６】（ａ）は、図１の通気弁の要部拡大図である。（ｂ）は、図３の通気弁の要部拡大図である。
【図７】（ａ）は、図６（ａ）におけるＡ−Ａ線端面図である。（ｂ）は、図６（ｂ）におけるＢ−Ｂ線端面図である。
【図８】本発明における通気弁の他の実施形態を示した縦断面図である。
【図９】本発明における通気弁の更に他の実施形態を示した縦断面図である。
【図１０】図９の通気弁が作動した状態を示した断面図である。
【図１１】（ａ）は、図９におけるＣ−Ｃ線端面図である。（ｂ）は、図１０におけるＤ−Ｄ線端面図である。
【符号の説明】
【００５７】
１０、５０  弁本体
１１  ボデー
１２  弁体保持体
１４  接触面
１５  制動機構
２０  弁体
２２ｅ  割り溝
２３  接触部（緩衝面）
２５  密閉部材
２６  弁座
２８  スプリング
３６  外筒
５１ａ  弁室
５２，５３  環状弁座
５５  キャップ
５６  案内軸
５７  弁体
Ｒ  低開度領域
【図１】
2008256114.tif 000003
【図２】
2008256114.tif 000004
【図３】
2008256114.tif 000005
【図４】
2008256114.tif 000006
【図５】
2008256114.tif 000007
【図６】
2008256114.tif 000008
【図７】
2008256114.tif 000009
【図８】
2008256114.tif 000010
【図９】
2008256114.tif 000011
【図１０】
2008256114.tif 000012
【図１１】
2008256114.tif 000013